(57)【要約】【課題】  電気錠の作動タイプを判別して自動的に登録すると共に、各扉に配設すべき電気錠の作動タイプの工事発注時のデータと照合することができる電気錠のコントローラ及び管理装置を提供する。【解決手段】  建物内を複数の区画に区分し、各区画毎に、その区画内の部屋、通用口等に配設された複数の扉にそれぞれ電気錠１を配設し、各電気錠の作動タイプを判別して登録するデータベース３Ａを有する電気錠コントローラ２を設けると共に、各区画の電気錠コントローラとデータ伝送可能に接続された管理装置４を設け、上記管理装置には各区画のそれぞれの扉に配設すべく工事発注された電気錠の作動タイプのデータベース４１を有し、上記電気錠コントローラに登録された配設ずみ電気錠の作動タイプと照合し得るようにした構成とする。【選択図】        図３
2005299230.tif 000002
【特許請求の範囲】
【請求項１】
建物内を複数の区画に区分し、各区画毎に、その区画内の部屋、通用口等に配設された複数の扉にそれぞれ電気錠を配設し、各電気錠の作動タイプを判別して登録するデータベースを有する電気錠コントローラを設けると共に、各区画の電気錠コントローラとデータ伝送可能に接続された管理装置を設け、上記管理装置には各区画のそれぞれの扉に配設すべく工事発注された電気錠の作動タイプのデータベースを有し、上記電気錠コントローラに登録された配設ずみ電気錠の作動タイプと照合し得るようにしたことを特徴とする電気錠のコントローラ及び管理装置。
【請求項２】
上記電気錠コントローラは、カードリーダを接続可能としたことを特徴とする請求項１記載の電気錠のコントローラ及び管理装置。
【発明の詳細な説明】
【技術分野】
【０００１】
この発明は、電気錠のコントローラ及び管理装置、特に建物の部屋や通用口に配設された電気錠が配設工事発注された電気錠と同一であるか否かの判別可能なコントローラ及び管理装置に関するものである。
【背景技術】
【０００２】
従来の建物の部屋や通用口に配設された扉の電気錠は、所定の区画毎に設けられたコントローラに対して電気錠の作動タイプ、例えば通電時施錠型、通電時解錠型、瞬時解錠型等を手入力で登録してデータベースを作成し、場合によってはコントローラによって判別し登録することが行なわれていた。（例えば特許文献１参照）。
【０００３】
【特許文献１】特開平１１−１９０１５６号公報（段落００１９−００４１、図１）
【発明の開示】
【発明が解決しようとする課題】
【０００４】
従来の電気錠のコントローラは以上のように構成され、電気錠コントローラへの電気錠の作動タイプの登録が手入力によって行なわれていたため、電気錠の数が多くなると登録のために多大の工数を要するという問題点があった。
また、手入力による登録ミスも発生して電気錠の動作に不具合が発生するという問題点もあった。更に、当初、各扉に配設すべく工事発注された電気錠の作動タイプと同一の電気錠が各扉に配設されているか否かの照合を行なうことができないという問題点もあった。
【０００５】
この発明は、上記のような問題点を解消するためになされたもので、電気錠コントローラに、各扉や通用口に配設された電気錠の作動タイプを判別して自動登録し得る機能に加えて、これらのデータを送信する機能を持たせると共に、各扉への電気錠の配設の際に、どのような作動タイプの電気錠を配設すべきかを指示した工事発注の内容をデータベース化して保有する管理装置を設け、この管理装置から上記電気錠コントローラに対して配設ずみ電気錠の作動タイプのデータの伝送を指示することにより、両データを照合して各扉に配設された電気錠が、当初、配設すべく指示された電気錠の作動タイプと同一であるかどうかを照合確認することができるようにし、また、入退室管理システムの電気錠コントローラとしてカードリーダの接続も可能にした電気錠のコントローラ及び管理装置を提供することを目的とする。
【課題を解決するための手段】
【０００６】
この発明に係る電気錠のコントローラ及び管理装置は、建物内を複数の区画に区分し、各区画毎に、その区画内の部屋、通用口等に配設された複数の扉にそれぞれ電気錠を配設し、各電気錠の作動タイプを判別して登録するデータベースを有する電気錠コントローラを設けると共に、各区画の電気錠コントローラとデータ伝送可能に接続された管理装置を設け、上記管理装置には各区画のそれぞれの扉に配設すべく工事発注された電気錠の作動タイプのデータベースを有し、上記電気錠コントローラに登録された配設ずみ電気錠の作動タイプと照合し得るようにしたものである。
【発明の効果】
【０００７】
この発明に係る電気錠のコントローラ及び管理装置は以上のように構成されているため、電気錠コントローラが各扉や通用口の電気錠の作動タイプを判別してデータベースに自動的に登録する結果、予めデータベースに各扉の電気錠の作動タイプを手入力により登録する手間が省け、また、手入力による場合の登録ミスも防止することができる。
更に、工事発注されたものと異なる作動タイプの電気錠が扉に配設され、電気錠コントローラに接続されても、管理装置とのデータベースの照合によりミスを発見することができ、警報を発してオペレータに注意を喚起することができる。
【発明を実施するための最良の形態】
【０００８】
実施の形態１．
以下、この発明の実施の形態１を図にもとづいて説明する。図１は、実施の形態１における電気錠と、その作動タイプ判別装置の接続関係を示す回路図である。
この図において、電気錠１は端子１０、１１に接続された電気錠動作コイル１５と、端子１２、１４に接続された解錠状態接点１６と、端子１３、１４に接続された扉状態接点１７とを有している。
【０００９】
また、電気錠の作動タイプ自動判別装置２は端子２０、２１間に接続された接点用直流電源２６及び通電スイッチ２５と、端子２２、２４間に接続されたコイル用直流電源２９及び解錠状態コイル２７と、端子２３及びコイル用直流電源２９の間に接続された扉状態コイル２８とを有している。
【００１０】
次に、この装置による電気錠の動作と作動タイプの自動判別動作について説明する。
先ず、通電スイッチ２５を短絡する。この短絡によって電気錠１の電気錠動作コイル１５が励磁され、電気錠を施錠または解錠動作させる。
電気錠動作コイル１５の励磁によって電気錠を施錠した場合は、解錠状態接点１６が開放され、電気錠を解錠した場合は、解錠状態接点１６が短絡される。
【００１１】
今、電気錠が通電時施錠型であるとすると、解錠状態接点１６は図示のように開放されたままである。従って、解錠状態コイル２７が消磁され、電気錠が通電時施錠型であることを判別する。この時、扉は閉じているため扉状態接点１７は短絡され、扉状態コイル２８が励磁されて扉の閉状態を確認することができる。
【００１２】
また、電気錠が通電時解錠型である場合には、電気錠動作コイル１５の励磁によって解錠状態接点１６が短絡され、解錠状態コイル２７が励磁されることによって通電時解錠型であることが判別される。この時、扉は開放可能な状態であるため扉状態接点１７は開放され、扉状態コイル２８が消磁されてこの状態を確認することができる。
【００１３】
図２は、通電時施錠型電気錠と通電時解錠型電気錠のそれぞれの判別をするための上述の手順をまとめたものである。
図３は、この発明の実施の形態１の構成を示すブロック図である。
この実施の形態は建物を複数の区画に区分し、例えば図示のように、１０階の事務室の扉１及び扉２を区画１及び２とし、それぞれの扉に配設された電気錠１Ａ、１Ｂに対応する電気錠コントローラとして２Ａを配置し、コントローラ内に収納されたデータベース３Ａに電気錠１Ａ、１Ｂのデータを登録するようにしている。
【００１４】
また、９階の事務室の扉１及び扉２を区画３及び４とし、それぞれの扉に配設された電気錠１Ｃ、１Ｄに対応する電気錠コントローラとして２Ｂを配置し、このコントローラ内に収納されたデータベース３Ｂに電気錠１Ｃ、１Ｄのデータを登録するようにしている。
以下、同様にして各階毎に電気錠コントローラを配置し、１階の通用口１及び２を区画ｍ-1、ｍとし、それぞれの扉に配設された電気錠１Ｎ、１Ｍに対応する電気錠コントローラとして２Ｎを配置し、このコントローラ内に収納されたデータベース３Ｎに電気錠１Ｎ、１Ｍのデータを登録するようにしている。
【００１５】
各電気錠コントローラ２Ａ、２Ｂ…２Ｎに登録されるデータは例えば図４に示すようにチャネル番号と電気錠の作動タイプである。なお、電気錠１Ａ、１Ｂ…１Ｎ、１Ｍは図１の１に示すように構成され、電気錠コントローラ２Ａ、２Ｂ…２Ｎは図１の２に示すように構成されている。
【００１６】
また、各区画にはカードリーダ５Ａ、５Ｂ…５Ｎ、５Ｍが設けられ、入退室管理システムの電気錠コントローラとしても使用できるようにし、カードリーダ５Ａ、５Ｂ…５Ｎ、５Ｍと電気錠１Ａ、１Ｂ…１Ｎ、１Ｍとを区画番号に紐付けるようにしている。
【００１７】
更に、建物全体の管理用として管理装置４が設けられ、これが各電気錠コントローラ２Ａ、２Ｂ…２Ｎと伝送線４３によって接続され、各電気錠コントローラのデータを要求し得るようにされている。各電気錠コントローラは、管理装置４からの送信要求によって電気錠コントローラ内のデータベース３Ａ、３Ｂ…３Ｎに、電気錠コントローラのアドレスを付加して送信する機能が設けられている。
【００１８】
また、管理装置４にはデータベース４１が設けられ、各区画の扉にそれぞれ電気錠を配設する際に、どのような作動タイプの電気錠を配設すべきかを指示した工事発注の内容を含む電気錠手配表データ４２が上記データベース４１に収納されている。
上記電気錠手配表データ４２は例えば図５に示すものであり、建物内の区画番号、電気錠コントローラのアドレス、チャネル番号及び電気錠の作動タイプが読み込まれている。
なお、区画番号は、予め工事発注者あるいは工事請負者が建物内で重複しないように採番し、手配表に入力しているものである。
【００１９】
次に、実施の形態１の動作について説明する。各電気錠コントローラ２Ａ、２Ｂ…２Ｎは、接続された各区画の扉に配設された電気錠の作動タイプを上述した手順によって判別すると共に、それぞれのデータベース３Ａ、３Ｂ…３Ｎに自動的に登録する。
【００２０】
管理装置４からの送信要求があった場合には、それぞれのデータベース３Ａ、３Ｂ…３Ｎのデータを伝送線４３を経て管理装置４に送信する。
管理装置４ではデータベース４１に収納された電気錠手配表データ４２、即ち当初の工事発注時における各区画の扉に配設すべき電気錠の作動タイプと実際に配設された各扉の電気錠の作動タイプとを照合して配設工事ミスの有無を確認し、ミスがあれば警報を発するものである。
【図面の簡単な説明】
【００２１】
【図１】電気錠とその作動タイプ判別装置の構成及び接続関係を示す回路図である。
【図２】作動タイプ判別装置における判別手順を示すものである。
【図３】この発明の実施の形態１の構成を示すブロック図である。
【図４】実施の形態１における電気錠コントローラのデータベースに収納されるデータ内容の一例を示すものである。
【図５】実施の形態１における管理装置のデータベースに収納される電気錠手配表データの内容の一例を示すものである。
【符号の説明】
【００２２】
１、１Ａ…１Ｍ  電気錠、  ２、２Ａ…２Ｎ  電気錠コントローラ、  ３Ａ…３Ｎ  データベース、  ４  管理装置、  ５Ａ…５Ｍ  カードリーダ、  １０−１４  端子、  １５  電気錠動作コイル、  １６  解錠状態接点、  １７  扉状態接点、  ２０−２４  端子、  ２５  通電スイッチ、  ２６  接点用直流電源、  ２７  解錠状態コイル、  ２８  扉状態コイル、  ２９  コイル用直流電源、  ４１  データべース、  ４２  電気錠手配表データ、  ４３  伝送線。
【図１】
2005299230.tif 000003
【図２】
2005299230.tif 000004
【図３】
2005299230.tif 000005
【図４】
2005299230.tif 000006
【図５】
2005299230.tif 000007